(57)【要約】      （修正有）【課題】地盤中の水分が多孔管に流入することによって地盤含有水分を減少させるようにした排水管において、多孔管の孔から土砂が入り込むことによる目詰まりを防ぎ、また多孔管の浮き上がりを防止しつつ、地盤中の含有水分を減少することのできる排水管を提供する。【解決手段】多孔管に使用済果樹園用ネットである１０ｍｍ〜１５ｍｍのメッシュ状のネット３を少なくとも多孔管の管径の倍の管径となるよう多孔管２に固く捲回し、多孔管２を地盤内に配設することにより、地盤含有水分を多孔管の孔から多孔管内へ流入させて地盤含有水分を減少させるようにした排水管１を提供する。また、少なくとも１つ以上の多孔管２が連結された排水管１において、先端部に位置する多孔管の端部にネット３が充填されることを特徴とする排水管を提供する。【選択図】図１
0003108682.tif 000002
【実用新案登録請求の範囲】
【請求項１】
多孔管にメッシュ状のネットを捲回し、前記多孔管を地盤内に配設することにより、地盤含有水分を前記多孔管の孔から多孔管内へ流入させて地盤含有水分を減少させるようにしたことを特徴とする排水管。
【請求項２】
前記メッシュ状のネットが１０ｍｍ〜１５ｍｍのメッシュである使用済果樹園用ネットであり、少なくとも多孔管の管径の倍の管径となるよう多孔管に固く捲回されることを特徴とする請求項１記載の排水管。
【請求項３】
少なくとも１つ以上の前記多孔管が連結された請求項１又は２に記載の排水管において、先端部に位置する多孔管の端部に前記ネットが充填されることを特徴とする排水管。
【考案の詳細な説明】
【技術分野】
【０００１】
本考案は田地あるいは軟弱地盤等の含水率の大きい地盤において、地盤含有水分を減少させて水はけをよくするための排水管に関する考案である。
【背景技術】
【０００２】
従来から軟弱地盤の改良工法として、例えば特許文献１に示すようなドレーン材を用いた大気圧工法、置換工法、固結工法がある。大気圧工法は、縦方向に多数の細孔を形成した塩ビ系、プラスチックあるいは不織布などからなる多数のドレーン材を地盤中に所定間隔で鉛直に貫入し、その毛管現象によって地盤内水分を地表に揚水し、地盤の圧密化を図るものである。置換工法は軟弱地盤を良質な砂で置き換える工法であり、固結工法は軟弱層にセメントや石灰石等を添加混合する工法である。
【０００３】
これらの工法によって田地や軟弱地盤等の含水率の大きい地盤における土壌改良を行なう場合、大規模な設備や工事が必要となり、コストも大きい。そのため、田地等を畑として転用するためにはそれらの工法を採用せずに、塩ビ系、プラスチックあるいは不織布などからなる管に無数の孔を開けた多孔管を地盤中に敷設し、土砂が多孔管の穴に入り込んで目詰まりしないようその周りを砂利で埋めることによって、地盤中の含有水分を排水するという工法が取られていた。
【０００４】
しかしながら、多孔管の周りに砂利を敷設することも大変な作業であるし、多孔管は塩ビ系、プラスチックあるいは不織布などからなるものであるから、強度も大きくなく、それほど多くの砂利を多孔管の上部に敷設することもできない。
【０００５】
また逆に砂利の敷設が不十分であれば土砂が多孔管の孔に入り込み、目詰まりをおこしてしまう。さらには地盤中の水分が多い場合には、土砂の埋設が不十分であると多孔管が浮き上がる結果、地表も盛り上がり、排水管が連結されている場合にあっては、ずれが生じるという問題点もある。
【０００６】
【特許文献１】特願平１０−３１７９６７号公報
【考案の開示】
【考案が解決しようとする課題】
【０００７】
そこで、本考案では地盤中の水分が多孔管に流入することによって地盤含有水分を減少させるようにした排水管において、多孔管の孔から土砂が入り込むことによる目詰まりを防ぎ、また多孔管の浮き上がりを防止しつつ、地盤中の含有水分を減少することのできる排水管を考案しようとしたものである。
【課題を解決するための手段】
【０００８】
（１）多孔管にメッシュ状のネットを捲回し、前記多孔管を地盤内に配設することにより、地盤含有水分を前記多孔管の孔から多孔管内へ流入させて地盤含有水分を減少させるようにしたことを特徴とする排水管を提供することにより前記課題を解決する。
【０００９】
（２）前記メッシュ状のネットが１０ｍｍ〜１５ｍｍのメッシュである使用済果樹園用ネットであり、少なくとも多孔管の管径の倍の管径となるよう多孔管に固く捲回されることを特徴とする（１）記載の排水管を提供することにより前記課題を解決する。
【００１０】
（３）少なくとも１つ以上の前記多孔管が連結された（１）又は（２）に記載の排水管において、先端部に位置する多孔管の端部に前記ネットが充填されることを特徴とする排水管を提供することにより前記課題を解決する。
【考案の効果】
【００１１】
多孔管にメッシュ状のネットを捲回し、少なくとも多孔管の管径の倍の管径となるようネットが多孔管に固く捲回されると、圧密等の作用によって土砂を含んだ地盤含有水が多孔管の孔から流入しようとする際に、土砂がメッシュによってせき止められることにより、地盤含有水分があたかも濾過されるようにして多孔管の孔から多孔管内に流入し、排水される。この結果地盤中の水分は減少して、土壌の改良を行なうことができる。
【００１２】
また、地盤中の含有水分に応じてネットの捲回回数（厚）を変化させればよいので、土地に応じて土壌の改良工事をすることが可能である。
【００１３】
本排水管を埋設するにあたり、排水管を埋めるために地表から６０ｃｍから１ｍほどの深さで掘削をすればよいので、ドレーンを打ち込んだり、土砂を埋設するなどの大掛かりな工事をすることなく、土壌の改良工事をすることができる。
【００１４】
また、メッシュ状のネットを用いるので、多孔管の径の少なくとも倍の径となるように捲回しても、排水管の軽量化を図ることができ、輸送等において問題にはならない。
【００１５】
地盤中の水分が多いために多孔管だけを土中に埋めると多孔管が浮き上がってしまう場合であっても、本考案の排水管を利用すれば、土砂がメッシュ地に入り込み、排水管の自重を上げるため、多孔管が浮き上がることによる地表の盛り上がりを引き起こすことがない。
【００１６】
また、掘削面に多少の凹凸があっても、メッシュ状のネットが伸縮することにより、安定した埋設が可能となるため、精密な地面の掘削を必要としない。
【００１７】
加えて広大な面積の土壌改良を行なう場合であっても、多孔管の一端を他端よりも太くすることにより、連続して排水管の連結ができるようにしてあるので、土壌改良を行なうことができる。
【００１８】
また、多孔管の一端を他端よりも太くすることにより、ネットを充填することができるようになっているので、多孔管の先端部においても地盤含有水分が管内に流入することができ、さらにその先端部から土砂等が入り込むことがない。
【００１９】
前記メッシュ状のネットは果樹園等で用いられた使用済みのネットを使用するので、廃棄物を利用することができ、エコロジーな商品となる。
【考案を実施するための最良の形態】
【００２０】
以下、図面に基き説明する。図１は本排水管の構成図である。図２は本排水管から流出する土中水を示したものである。図３は多孔管にネットを巻きつける際の様子を表す状態図である。図４は排水管を土中に埋設し、土壌改良を行う場合の図である。
【００２１】
まず、図１に示すように、本考案は無数の孔が開いた多孔管２と、多孔管２の周囲を捲回したメッシュ状のネット３からなる。多孔管２は従来からある多孔管を利用することができ、多孔管２には直径１０ｍｍ〜１５ｍｍ程の孔が開いているものを使用することが望ましい。前記ネット３は１０ｍｍから１５ｍｍメッシュのネットを用いるのが好ましく、例えば果樹園で使用されていた使用済ネットを使用することができる。近年の環境を考慮した廃棄物利用の観点から、果樹園の使用済ネットに関するリサイクルを図るためである。
【００２２】
ネット３は何重にも捲回されることによって幾重にもメッシュが重なって、土砂を含んだ地盤含有水をあたかも濾過するようにして、土砂の多孔管への流入を防ぐと同時に、効率の良い排水をする役割を果たすが、メッシュの大きさとしては１０ｍｍ以下のものを使用してもよいし、１５ｍｍ以上のものを使用してもよい。しかし上記数値のメッシュ状のネットを用いることが最も好ましい。
【００２３】
ネット３を捲回する際には、図３に示すように、多孔管の複数の孔にステンレス線等の紐４を利用してネット３の始点と多孔管２とを結びつける。好ましくは４ｍの排水管につき５箇所程で始点を固定しておくのが好ましい。
【００２４】
その後、ひずみのないようにネット３が多孔管に捲回するよう、固く巻きつけていく。この捲回作業は機械によって行なっても人手によって行なっても良い。埋設する地盤状況によって捲回を調節するが、概ね多孔管の２倍から３倍となるほどの管径までネット３を巻きつければ十分である。捲回が終わった後にはボンドで終点を接合し、解けないようにしておくことが望ましい。
【００２５】
図１及び図３に示すように多孔管２は一端が他端よりも太くなっており、複数の排水管１が連結可能に構成されている。径が太い方の端部の縁までネット３は捲回するが、径が細い方の端部は縁から３０ｍｍ程、多孔管にネットが巻かれないようにしておくのが望ましい。これにより図１に示すように、排水管１を連結する際に、ネットが巻かれていない径が細い方の端部を、径が太い方の端部に差し込んで、複数の排水管１を連結することができる。尚、連結部においては連結が外れないよう、ボンド等で接着させることができる。
【００２６】
図２に示すように、終端部における径が細い方の端部は側溝に接しており、多孔管２内に流入した地盤含有水分を排出することができる。
【００２７】
図３は排水管１が連結された場合の先端部の排水管１の平面図を示している。先端部にはネット３が充填される。このネットは多孔管２の奥部まで侵入しないよう、多孔管２の孔を利用して設けられているステンレス線４等で係止されている。これにより、先端部からも地盤含有水分を排水することができると同時に土砂の流入を防ぐことができる。
【００２８】
つまり、多孔管２の両端の径の大きさを変えることにより、複数の多孔管２が連結可能となるとともに、ネット３を充填して先端部からも地盤含有水の減少を図ることができるのである。
【実施例】
【００２９】
図４は本考案の排水管１を利用して土壌改良を行なう場合の一例を示したものである。まず、地表から５０ｃｍから１ｍ、好ましくは６０ｃｍ程の位置に本排水管１を埋設できるよう、掘削を行なう。地盤改良地域において標高が高い位置から低い位置に向かって地盤含有水（土中水）が流れ、排水管１内に流入するように、地面の傾斜に対して水平方向となるように、複数の排水管１を平行に配置するのが望ましい。排水管１は３ｍ〜１０ｍ、好ましくは７ｍおきに平行に埋設されるのが望ましく、これによって集められた地盤含有水分は側溝を通して排水される。その際、排水管１の側溝に接する端部が他端よりも下になるよう傾斜をつけて埋設することが望ましい。
【００３０】
上記方法によって土壌改良を行なった場合、圧密作用等により染み出した地盤含有水分が排水されるため、適度な水分は地盤中には保たれることとなり、適当な含水率の地盤となっているので、例えば田地からコスモス畑等の転用が可能である。
【図面の簡単な説明】
【００３１】
【図１】排水管の構成図
【図２】排水管の地盤含有水流出部
【図３】メッシュ状ネットが多孔管に捲回される際の捲回開始部分の図
【図４】排水管の実施例
【符号の説明】
【００３２】
１  排水管
２  多孔管
３  ネット
４  ステンレス線
【図１】
0003108682.tif 000003
【図２】
0003108682.tif 000004
【図３】
0003108682.tif 000005
【図４】
0003108682.tif 000006